(57)【特許請求の範囲】
【請求項１】
第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置であって、
前記第１の筐体と第２の筐体は、表示部が設けられた面同士が向かい合う状態で閉じられ、開いた状態では各筐体の前記表示部が設けられた面が外側に露出して両面状態にまでなるよう接合され、
前記両面状態になったことを検知すると共に、前記両面状態において前記各筐の表面／裏面を判断する検知手段と、
前記検知手段により両面状態が検知された場合は、前記第１及び第２の筐体のうち、前記裏面と判断された筐体に設けられた入力部からの入力を、前記表面と判断された筐体に設けられた入力部の拡張入力として制御する制御手段とを備え、
前記制御手段は、
前記検知手段によって前記両面状態が検出された場合に、前記拡張入力として、前記裏面と判断された筐体に設けられた前記入力部の入力面を複数のエリアに分割すると共に、それらのエリアのうち少なくとも何れかのエリアを選択可能なエリア選択入力に切り替える
ことを特徴とする情報処理装置。
【請求項２】
前記制御手段は、
前記エリア選択入力の場合に、前記裏面と判断された筐体において検出された前記入力部における接触点に対応する、前記表面と判断された筐体に設けられた前記入力部の表面の位置に、ユーザの指が該接触点に接触している旨を示す情報を表示させる
ことを特徴とする請求項１記載の情報処理装置。
【請求項３】
前記制御手段は、
前記エリア選択入力の場合に、前記裏面と判断された筐体に設けられた前記入力部の操作可能領域を、前記表面と判断された筐体に設けられた前記入力部の表面に表示すると共に、前記接触点に接触している旨を示す情報として、前記接触点における指を、前記表面と判断された筐体に設けられた前記入力部の表面において透過表示させる
ことを特徴とする請求項２記載の情報処理装置。
【請求項４】
前記検知手段は、前記接合部に設けられ、前記各筐体のなす角度に基づいて前記両面状態を判断する
ことを特徴とする請求項１から３のいずれか１項記載の情報処理装置。
【請求項５】
第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置の入力制御方法であって、
前記第１の筐体と第２の筐体の各表示部が設けられた面同士が向かい合って閉じられた状態から、各筐体の前記表示部が設けられた面が外側に露出して両面状態にまで開いた場合に、前記両面状態になったことを検知すると共に、前記両面状態において前記各筐の表面／裏面を判断する検知ステップと、
前記検知ステップにおいて前記両面状態が検知された場合は、前記第１及び第２の筐体のうち、前記裏面と判断された筐体に設けられた入力部からの入力を、前記表面と判断された筐体に設けられた入力部の拡張入力として制御する制御ステップとを有し、
前記制御ステップでは、
前記検知ステップにおいて前記両面状態が検出された場合に、前記拡張入力として、前記裏面と判断された筐体に設けられた前記入力部の入力面を複数のエリアに分割すると共に、それらのエリアのうち少なくとも何れかのエリアを選択可能なエリア選択入力に切り替える
ことを特徴とする入力制御方法。
【請求項６】
第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置の入力制御プログラムであって、
前記第１の筐体と第２の筐体の各表示部が設けられた面同士が向かい合って閉じられた状態から、各筐体の前記表示部が設けられた面が外側に露出して両面状態にまで開いた場合に、前記両面状態になったことを検知すると共に、前記両面状態において前記各筐の表面／裏面を判断する検知処理と、
前記両面状態が検知された場合は、前記第１及び第２の筐体のうち、前記裏面と判断された片方の筐体に設けられた入力部からの入力を、前記表面と判断された
筐体に設けられた入力部の拡張入力として制御する制御処理とをコンピュータに実行させることができ、
前記制御処理では、
前記検知手段によって前記両面状態が検出された場合に、前記拡張入力として、前記裏面と判断された筐体に設けられた前記入力部の入力面を複数のエリアに分割すると共に、それらのエリアのうち少なくとも何れかのエリアを選択可能なエリア選択入力に切り替える
ことを特徴とする入力制御プログラム。
【請求項７】
請求項６記載の入力制御プログラムの処理を記録するコンピュータ読取り可能な記録媒体。
【発明の詳細な説明】
【技術分野】
【０００１】
本発明は、情報処理装置、入力制御方法、プログラム及び記録媒体に関し、特に２つのディスプレイを有効に利用して操作性を向上させる情報処理装置、入力制御方法、プログラム及び記録媒体に関する。
【背景技術】
【０００２】
２人以上で端末装置を利用することを想定した、２つのディスプレイを備える携帯型の折畳み式端末装置が提案されている（特許文献１参照）。かかる端末装置は、２つのディスプレイが互いになす角度の調整が可能であり、通常は（１人で使用する場合）端末装置の片面にだけ表示情報データを表示し、２人以上で端末装置を使用する時などに両面に表示情報データを表示する（特許文献１、図３）。
【先行技術文献】
【特許文献】
【０００３】
【特許文献１】特開２０００−２４２３９３号公報
【発明の概要】
【発明が解決しようとする課題】
【０００４】
上記２つのディスプレイを備える携帯端末装置は、２人で使用することを目的としているが、当然１人で使用することも可能である。その場合、端末装置の片面にだけ表示情報データを表示、すなわち一方のディスプレイのみを使用することが開示されている。
【０００５】
従って１人で使用する場合は他方のディスプレイが有効に活用出来ていないという問題がある。
【０００６】
また、画面へのペン等の接触を検知して入力を受け付けるタッチパネルがディスプレイに用いられた場合は、各ディスプレイのなす角度を３６０度開いて片方のみにデータを表示して使用している際に、他方のディスプレイは裏面にあるが、裏面のタッチパネルがＯＮになっていると誤作動の危険性もある。
【０００７】
そこで裏面になるディスプレイは必ずタッチパネルＯＦＦになるように設定したとしても、上述したように有効活用出来ていないという問題がある。
【０００８】
さらに、タッチパネル式のディスプレイの場合は、操作を行う際に表示部分が利用者の指等で隠れてしまうという問題がある。例えば電子書籍、動画等、ディスプレイの全面に情報が展開されている場合等は、操作の度に表示部分が隠れたり、操作メニューが重ねて表示されたりすることが特に煩わしいこともある。
【０００９】
本発明はこのような状況に鑑みてなされたものであり、２つのディスプレイを備える折畳み式端末装置を有効に利用して操作性を向上させることを目的としている。
【課題を解決するための手段】
【００１０】
本発明に係る情報処理装置は、第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置であって、前記第１の筐体と第２の筐体は、表示部が設けられた面同士が向かい合う状態で閉じられ、開いた状態では各筐体の前記表示部が設けられた面が外側に露出して両面状態にまでなるよう接合され、前記両面状態になったことを検知する検知手段と、前記検知手段により両面状態が検知された場合は、片方の筐体に設けられた入力部からの入力を、他方の筐体に設けられた入力部の拡張入力として制御する制御手段と、を備えることを特徴とする。
【００１１】
本発明に係る入力制御方法は、第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置の入力制御方法であって、前記第１の筐体と第２の筐体の各表示部が設けられた面同士が向かい合って閉じられた状態から、各筐体の前記表示部が設けられた面が外側に露出して両面状態にまで開いた場合に、前記両面状態になったことを検知するステップと、前記両面状態が検知された場合は、片方の筐体に設けられた入力部からの入力を、他方の筐体に設けられた入力部の拡張入力として制御するステップと、を備えることを特徴とする。
【００１２】
本発明に係る入力制御プログラムは、第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置の入力制御プログラムであって、前記第１の筐体と第２の筐体の各表示部が設けられた面同士が向かい合って閉じられた状態から、各筐体の前記表示部が設けられた面が外側に露出して両面状態にまで開いた場合に、前記両面状態になったことを検知する処理と、前記両面状態が検知された場合は、片方の筐体に設けられた入力部からの入力を、他方の筐体に設けられた入力部の拡張入力として制御する処理と、をコンピュータに実行させることを特徴とする。
【００１３】
本発明に係る記録媒体は、上記本発明に係る入力制御プログラムの処理を記録するコンピュータ読取り可能な記録媒体である。
【発明の効果】
【００１４】
本発明によれば、２つのディスプレイを備える折畳み式端末装置を有効に利用して操作性を向上させることが出来る。
【図面の簡単な説明】
【００１５】
【図１】本発明の実施形態に係る端末装置の外観図である。
【図２】本発明の実施形態に係る端末装置の主な機能構成を説明するための図である。
【図３】本発明の実施形態に係る端末装置の入力面のエリア分割の一例を示す図である。
【図４】本発明の実施形態に係る動作処理を示すフローチャートである。
【発明を実施するための形態】
【００１６】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１７】
本実施形態に係る情報処理装置として、２つの筐体（２ａ、２ｂ）が、３６０度展開可能なヒンジ３を介して接続された端末装置１を用いて説明する。図１は、本発明の実施形態に係る端末装置１の外観図である。本実施形態に係る端末装置１は、２つの筐体（２ａ、２ｂ）が、３６０度展開可能なヒンジ３を介して接続されている。図１（Ａ）は、閉じた状態である。図１（Ｂ）は、１８０度開いて２画面使用可能な状態である。図１（Ｂ）に示すように、各筐体にはタッチパネル式のディスプレイが設けられている。図１（Ｃ）が３６０度開いた状態である。
【００１８】
折畳み式の端末装置に２つのディスプレイを設けると、図１（Ｂ）に示すように２画面で使用することができ、小型装置であってもディスプレイが十分な広さとなる。しかし、車内等狭い場所で使用する場合は、図１（Ｃ）のように開き、片面使用することが想定される。この場合に、従来は、一方のディスプレイにデータを表示して利用させることで十分とされていたが、他方のディスプレイが有効に利用されていないという問題があった。そこで、本実施形態では、このような両面状態において、利用者の視界から外れる裏側のディスプレイ（図１（Ｃ）ではタッチパネル２側）を入力デバイスとして活用することを特徴とする。
【００１９】
次に、本実施形態に係る端末装置の主な機能構成について図２を用いて説明する。端末装置１は、各筐体（２ａ、２ｂ）が入力部と表示部とを兼ねた装置（タッチパネル式ディスプレイ）を備え、３６０度展開可能なヒンジ３（接合部）を介して接続されている。ここで３６０度展開可能とは、少なくとも他方の筐体を開いて利用者の視界から外れる裏面側、およそ２７０度以上に展開すれば良い。
【００２０】
ヒンジ３は、２つの筐体の位置関係を検知する開度センサ３１を備える。２つの筐体がなす角度（開き度）を細かく検知する必要はなく、図１（Ｃ）に示すような両面状態にあることを検知すれば良い。例えば、開き度が２７０度〜３６０度の場合を検知するような構成としても良い。検知の閾値は具体的な端末装置の構成に応じて決定されるものであり、両面状態での使用が可能な状態を検知できれば良い。
【００２１】
さらに、端末装置１全体の制御を行う中央制御部４、入力部２１、２３の制御を行う入力制御部５、表示部２２、２４の制御を行う表示制御部６（出力制御部）、を備える。表示部と入力部は重ねて設けられており、以下表示入力部とも称す。
【００２２】
入力制御部は２つの入力部から情報を取得し、常に中央制御部へとその情報を送る。このとき、入力制御部は開度センサの状態を確認する必要はない。
【００２３】
中央制御部は開度センサの情報を元に以下の３つの状態をとる（図１参照）。
（Ａ）閉状態：操作者が表示入力部により操作を行わない状態
（Ｂ）２画面状態：２つの表示入力部が対等に動作する状態
（Ｃ）両面状態：２つの表示入力部のうち一方が他方の反対面となり、利用者からは片面しか見えない状態
【００２４】
端末装置１は図１（Ｃ）に示すような両面状態にあることを検知すると、裏面に位置するタッチパネル（入力部）を入力デバイスとして活用する。この際、裏面に位置する入力面（タッチパネル）は利用者にとって視界の外となるため、通常のような詳細な座標入力は困難と想定されるため、簡易入力に切換える。
【００２５】
状態（Ｃ）において、利用者は、端末装置１を片面（表面；タッチパネル１）のみの装置として利用出来る。その上で、反対側の面（裏面；タッチパネル２）の入力部からの入力を、表面に対する拡張入力として中央制御部が解釈する。
【００２６】
裏面からの入力は、入力部が本来有する精密な座標による入力ではなく、大雑把な範囲に対する入力や、スライド操作等の行動入力といった簡易入力に切換えることが望ましい。裏面に位置する入力面（タッチパネル）は利用者にとって視界の外となるため、通常のような詳細な座標入力は困難と想定されるからである。
【００２７】
例えば、入力面をいくつかの区画（エリア）に分割し（分割の広さは入力面のサイズによって調整しても良い）、座標点入力より単純なエリア選択入力機能を提供することも可能である。またこの入力は定点だけでなく動作させる入力も考えられる。例えば、正面から見て裏面の右上をタッチしたら「決定」左下を横軸にドラッグ（スライド操作）すれば「履歴を戻る」動作等である。
【００２８】
図３は、入力面を例えば９つのエリアに分割した場合について説明するための図である。上述した入力動作「裏面の右上をタッチ」は、図３の右上エリア内に接触した場合である。「左下を横軸にドラッグ」は、図３の左下エリア（１）に接触したまま続けて横のエリア（２）を接触した場合は、横にドラッグしたと判断することが出来る。
【００２９】
図４は、本実施形態に係る端末装置１の入力制御動作処理を示すフローチャートである。端末装置１の状態は開度センサ３１により監視している。両面動作すべき角度（ユーザが２画面を同時に見ることが出来ない角度）まで開かれた時、「両面状態」へと移行する（図４  ステップＳ１）。
【００３０】
両面状態では利用者は、表側（図１（Ｃ）ではタッチパネル１側）の入力表示部を利用し、裏側（図１（Ｃ）ではタッチパネル２側）は入力のみを行うデバイスとして扱われる。裏側からの入力は、表側の入力の拡張入力として制御される。利用者は、裏側の入力部は視野外のため、ブラインドタッチで入力可能な入力のみを行えるよう制御する。
【００３１】
具体的には、例えば、裏面側の入力部をエリア選択入力に切換える（ステップＳ３）。両面状態から再び開度を閉じていくと２画面状態に移行するため、タッチパネル２側は入力及び表示を行うデバイスとして扱われる。
【００３２】
タッチパネル２側の表示機能が必要ない場合は、タッチパネル２側をスライドパッド等裏面側に触れる指の場所を検出できるデバイスにしても実現可能である。
【００３３】
なお、誤操作防止のために、入力を受け付けないエリアを設けても良いし（端末装置１自体を利用者が手で支えるために必然的に触れる箇所等）、スライド操作のみ受け付けるようにしても良い。
【００３４】
図４のステップＳ２では、表面／裏面の判断を行っている。予め利用者が表面／裏面を設定していても良いし、両面状態を検知した場合に（ステップＳ１／Ｙｅｓ）表面／裏面の選択表示を行い、利用者がその場で指定しても良い。
【００３５】
以上説明したように、本実施形態によれば、２画面備える端末装置において略３６０度開いた両面状態で利用する場合に、裏面側のディスプレイを入力部として有効利用することが出来る。
【００３６】
また、端末装置１の２画面状態においては、利用者は両手で操作する事が前提となるが、両面状態では片手で操作することが可能になる。通常、片手のみで操作を行うには限られた指の本数に対応した機能しか提供できないが、本実施形態に係る端末装置１ではその選択を拡大することが可能である。
【００３７】
また、端末装置１の２画面状態においては、裏面側で操作している位置を、表側のディスプレイに透過して表示させることも可能である。具体的には、入力制御部５が裏面のタッチパネルの指の接触点を検出し、表示制御部６は、検出された接触点に対応する表面の位置に、指が接触している旨を示す情報（指のシルエットそのままでも良いし、オブジェクトのような形でも良い）を表示させることが考え得る。
【００３８】
さらに端末装置１の２画面状態において、表示制御部６は、裏面のタッチパネルの操作可能領域を表面のディスプレイに示し、上記裏面操作を行っている指の接触点の透過表示と併せて表示することで、より操作性を向上させることが出来る。
【００３９】
また、両面状態の場合に、裏面側に位置する表示入力部は表示をする必要が無いため、表示系の電源を落とす事が可能である。これにより消費電力を節約しつつ操作性の改善が見込める。
【００４０】
なお、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４１】
以上、本発明を好適な実施形態に基づき具体的に説明したが、本発明は上記のものに限定されるものではなく、その要旨を逸脱しない範囲で種々変更可能であることは言うまでもない。
【符号の説明】
【００４２】
１    端末装置
２ａ、２ｂ    筐体
３    ヒンジ
４    中央制御部
５    入力制御部
６    表示制御部
２１、２３    入力部
２２、２４    表示部
３１    開度センサ
【図１】
0005515951.tif 000002
【図２】
0005515951.tif 000003
【図３】
0005515951.tif 000004
【図４】
0005515951.tif 000005